(57)【要約】【課題】布団等の乾燥対象物を効率良く乾燥させる。【解決手段】乾燥装置１０は、布団や洗濯物等の乾燥対象物を収容する乾燥室１５を有し、その乾燥室１５内に収容した乾燥対象物を乾燥させるものである。乾燥室１５内には、乾燥対象物を掛け下げ可能としかつエア吹出口を有するパイプユニット２３Ａ〜２３Ｃが設けられ、同パイプユニット２３Ａ〜２３Ｃの中空部には空調装置２５から送風が行われる。パイプユニット２３Ａ〜２３Ｃは、エア吹出口におけるエア吹出状態として、エア吹出の有無、エア吹出位置、エア吹出量、エア吹出方向の少なくともいずれかが変更可能となっている。【選択図】      図２
2008104606.tif 000002
【特許請求の範囲】
【請求項１】
布団や洗濯物等の乾燥対象物を収容する乾燥室を有し、その乾燥室内に収容した前記乾燥対象物を乾燥させる乾燥装置であって、
前記乾燥室内に設けられ、前記乾燥対象物を掛け下げ可能としかつエア吹出口を有するパイプ部材と、
前記パイプ部材の中空部に送風を行う送風手段と、
を備えてなることを特徴とする乾燥装置。
【請求項２】
前記パイプ部材は、前記エア吹出口におけるエア吹出状態として、エア吹出の有無、エア吹出位置、エア吹出量、エア吹出方向の少なくともいずれかを変更可能とするものである請求項１に記載の乾燥装置。
【請求項３】
前記パイプ部材を、内外二重に重ねて設けられる内側パイプと外側パイプとにより構成するとともに、それら内側パイプ及び外側パイプにそれぞれ透孔を設けて当該透孔により前記エア吹出口を構成し、内側パイプに対して外側パイプを周方向又は軸方向に移動させることにより、前記エア吹出の状態を変更可能とした請求項２に記載の乾燥装置。
【請求項４】
前記内側パイプにおいてその周方向に前記透孔を複数設けるとともに、前記外側パイプにおいてその周方向１カ所に前記透孔を設け、前記外側パイプを周方向に回転させることによりエア吹出方向を変更する構成とした請求項３に記載の乾燥装置。
【請求項５】
前記パイプ部材は、少なくとも鉛直方向下向きにエアを吹き出すものである請求項１乃至４のいずれかに記載の乾燥装置。
【請求項６】
布団類を乾燥対象物とする乾燥装置であって、前記パイプ部材に、布団類の幅に相当する長さで前記エア吹出口を設けた請求項１乃至５のいずれかに記載の乾燥装置。
【請求項７】
前記送風手段として空調装置を用い、該空調装置から乾燥エアを供給する請求項１乃至６のいずれかに記載の乾燥装置。
【請求項８】
前記乾燥室内に前記パイプ部材を複数設ける一方、その複数のパイプ部材のいずれに対して前記送風手段から送風するかを切り替える送風切替手段を備えた請求項１乃至７のいずれかに記載の乾燥装置。
【請求項９】
前記パイプ部材に乾燥対象物が掛け下げられているか否かを検知する手段と、
前記パイプ部材に乾燥対象物が掛け下げられている旨検知されたことを条件に、前記エア吹出口からエア吹出を行わせる手段と、
を備えた請求項１乃至８のいずれかに記載の乾燥装置。
【請求項１０】
前記パイプ部材に、同パイプ部材から上方に延びかつ同パイプ部材を支点として前記乾燥室の入口側に回動可能とした物干しアームを取り付けた請求項１乃至９のいずれかに記載の乾燥装置。
【請求項１１】
前記乾燥室内において同乾燥室内のほぼ中央の高さ位置に上下２段に前記パイプ部材を設け、そのうち上段側のパイプ部材に前記物干しアームを取り付けた請求項１０に記載の乾燥装置。
【請求項１２】
前記パイプ部材を前記乾燥室の入口側を基準に前後に複数並設し、その各パイプ部材に布団類を掛け下げ可能とした請求項１乃至１１のいずれかに記載の乾燥装置。
【請求項１３】
前後方向に複数並設した前記パイプ部材を、前記乾燥室内でそれぞれ前後方向に移動可能とした請求項１２に記載の乾燥装置。
【請求項１４】
請求項１乃至１３のいずれかに記載の乾燥装置を備え、壁面、床面、天井面及び前面扉体にて囲まれた空間部に前記乾燥室を設けるとともに、前面扉体側を基準に左右の壁面間に架け渡すようにして前記パイプ部材を設置した建物。
【発明の詳細な説明】
【技術分野】
【０００１】
本発明は、布団等の寝具や洗濯物などの乾燥に好適に使用できる乾燥装置、及びそれを設置した建物に関するものである。
【背景技術】
【０００２】
住宅等の建物において、布団等の寝具や洗濯物などを乾燥させるための乾燥室を設けたものがあり、かかる構成においては除湿機やヒータ等を用いて乾燥室内の寝具や洗濯物等が乾燥される。例えば特許文献１では、室内の端側に収納ユニットを形成するとともに、その収納ユニット内に設けられた乾燥室内に除湿機を取り付け、さらに、その乾燥室内に、下方位置を支点として回動自在でかつその先端部に支持棒を有する２本のスイングアームを設ける構成としている。そして、スイングアームの回動先端側に設けられた支持棒に布団等の寝具を掛け下げ、その状態で、除湿機を作動させて布団等の寝具を乾燥させるようになっている。
【特許文献１】特公平５−６４０４７号公報
【発明の開示】
【発明が解決しようとする課題】
【０００３】
上記特許文献１の乾燥装置では、布団等を乾燥する際、乾燥室内の全体を除湿機で乾燥させる構成としており、布団等が乾燥するまでに時間がかかるといった不都合が生じる。特にこの場合、布団等は支持棒に折り畳んだ状態で掛け下げられており、その内側となる部分がなかなか乾燥しないことが考えられる。
【０００４】
本発明は、こうした実状に鑑みてなされたものであり、布団等の乾燥対象物を効率良く乾燥させることができる乾燥装置を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明の乾燥装置（乾燥装置１０）は、布団や洗濯物等の乾燥対象物（布団Ｆ、洗濯物Ｓ）を収容する乾燥室（乾燥室１５）を有し、その乾燥室内に収容した乾燥対象物を乾燥させるものである。そして特に、乾燥室内に設けられ、乾燥対象物を掛け下げ可能としかつエア吹出口を有するパイプ部材（パイプユニット２３Ａ〜２３Ｃ）と、そのパイプ部材の中空部に送風を行う送風手段（空調装置２５）とを備えることを特徴としている。
【０００７】
上記構成によれば、パイプ部材から吹き出されるエアを布団等の乾燥対象物に直接当てることができる。そのため、乾燥対象物をいち早く乾燥させることができる。かかる場合、乾燥室内の全てを乾燥（除湿）していた従来技術とは異なり、乾燥に要する時間やエネルギの短縮・縮小を図ることができる。その結果、布団等の乾燥対象物を効率良く乾燥させることができる。
【０００８】
前記パイプ部材は、エア吹出口におけるエア吹出状態として、エア吹出の有無、エア吹出位置、エア吹出量、エア吹出方向の少なくともいずれかを変更可能とするものであると良い。この場合、乾燥対象物が何であるか、どれだけの乾燥対象物（布団等）が掛け下げられているか、パイプ部材のどこに乾燥対象物（布団等）が掛け下げられているかなどに応じてエア吹出の状態を変更することができ、布団等の乾燥対象物を効率良く乾燥させることができる。また、無駄なエネルギの消費を防ぐことができる。
【０００９】
前記パイプ部材を、内外二重に重ねて設けられる内側パイプ（内側パイプ２７）と外側パイプ（外側パイプ２８）とにより構成するとともに、それら内側パイプ及び外側パイプにそれぞれ透孔（貫通孔２７ａ、長孔２８ａ）を設けて当該透孔により前記エア吹出口を構成する。そして、内側パイプに対して外側パイプを周方向又は軸方向に移動させることにより、前記エア吹出の状態を変更可能とすると良い。この場合、外側パイプを移動させるといった比較的簡易な手段にてエア吹出状態を変更でき、実用性に優れた構成が実現できる。
【００１０】
なお、外側パイプは、内側パイプの全長さに対して単一で設けられても良いし、複数分割して設けられても良い。ただし後者であれば、エア吹出状態を細かく調整できるため、実用性が一層良化すると考えられる。
【００１１】
前記内側パイプにおいてその周方向に前記透孔（貫通孔２７ａ）を複数設けるとともに、前記外側パイプにおいてその周方向１カ所に前記透孔（長孔２８ａ）を設け、前記外側パイプを周方向に回転させることによりエア吹出方向を変更すると良い。この場合、外側パイプを周方向に回転させると、外側パイプの透孔が内側パイプの複数の透孔のうちいずれかと連通し、その透孔の連通によりパイプ部材のエア吹出が行われる。その際、外側パイプを回転させるだけで、エア吹出方向を所望とする方向とすることができる。
【００１２】
本発明の乾燥装置は、布団類（布団、毛布、タオルケットを含む）を乾燥させるものとして好適に用いられる。ここで、パイプ部材が、少なくとも鉛直方向下向きにエアを吹き出すものであると良い。つまり、パイプ部材に布団類が掛け下げられる場合、布団類は二つ折りでパイプ部材に掛け下げられる。かかる場合、上記のようにエアが鉛直方向下向きに吹き出される構成であれば、布団類を二つ折りにすることで形成される空間部（少なくとも上方が閉じた空間部）に乾燥エアが吹き出されるため、布団類を効率良く乾燥させることができる。
【００１３】
また、パイプ部材に、布団類の幅に相当する長さで前記エア吹出口が設けられると良い。これにより、効率良く、かつ無駄なエネルギの消費を生じることなく布団類を乾燥させることができる。
【００１４】
前記送風手段として空調装置（空調装置２５）を用い、該空調装置から乾燥エア（例えば温風）を供給すると良い。これにより、温度調節や風量調節を行った上で乾燥エアをパイプ部材に供給でき、乾燥の効率を上げることができる。特に、上記のように布団類が二つ折りでパイプ部材に掛け下げられた状態を想定すると、空調装置から供給される温風等が、布団類を二つ折りにすることで形成される空間部（少なくとも上方が閉じた空間部）に吹き出され、同空間部に暫く滞留する。したがって、布団類を効率良く乾燥させることができる。
【００１５】
また、乾燥室内にパイプ部材を複数設ける一方、その複数のパイプ部材のいずれに対して前記送風手段から送風するかを切り替える送風切替手段（切替装置２６）を備えると良い。これにより、都度使用するパイプ部材にのみ送風を行うことができ、無駄なエネルギ消費が抑制できる。
【００１６】
ここで、パイプ部材に乾燥対象物が掛け下げられているか否かを検知し、乾燥対象物が掛け下げられている旨検知されたことを条件に、前記エア吹出口からエア吹出を行わせると良い。本構成によれば、布団等の乾燥対象物が実際に掛け下がっているパイプ部材、又は同パイプ部材において実際の掛け下げ部分で、限定的にエア吹出が行われる。これにより、無駄に乾燥エアが吹き出されることを防止することができる。
【００１７】
パイプ部材に、同パイプ部材から上方に延びかつ同パイプ部材を支点として前記乾燥室の入口側に回動可能とした物干しアーム（物干しアーム３１，３２）を取り付けると良い。これにより、物干しアームに洗濯物等を掛け下げる場合に、その物干しアームを乾燥室の入口側（ユーザ側）に引き寄せることができ、洗濯物等の物干し作業を容易に行うことができる。
【００１８】
この場合特に、乾燥室内において同乾燥室内のほぼ中央の高さ位置に上下２段にパイプ部材を設け、そのうち上段側のパイプ部材（パイプユニット２３Ｃ）に前記物干しアームを取り付けると良い。これにより、乾燥室内において上側半分のスペースを利用して洗濯物等を干すことができる。
【００１９】
パイプ部材を乾燥室の入口側を基準に前後に複数並設し、その各パイプ部材に布団類を掛け下げ可能とすると良い。本構成であれば、乾燥室内において前後方向に重なった状態で複数枚の布団等を掛け下げることができ、乾燥室の前後幅に制限がある場合であっても複数枚の布団等を乾燥させることができる。また、乾燥後の布団等をパイプ部材に掛け下げたまま乾燥室内に収納する場合にも好適であると考えられる。
【００２０】
上記のように前後方向にパイプ部材を複数並設した構成では、その複数のパイプ部材を、乾燥室内でそれぞれ前後方向に移動可能とすると良い。本構成によれば、各パイプ部材に掛け下げた状態で布団等を乾燥させた後、それらパイプ部材の間隔を狭めることにより、布団等の収納領域を縮小化できる。故に、乾燥室内のスペースの有効利用を図ることができる。
【００２１】
本発明の乾燥装置を建物に据え付けることも可能である。すなわち、住宅等の建物において、壁面、床面、天井面及び前面扉体にて囲まれた空間部（押入等）に乾燥室を設けるとともに、前面扉体側を基準に左右の壁面間に架け渡すようにしてパイプ部材を設置すると良い。本構成においても、前記同様、布団等の乾燥対象物を効率良く乾燥させること等々の優れた効果が得られる。
【発明を実施するための最良の形態】
【００２２】
以下、本発明の乾燥装置を具体化した一実施形態を図面に基づいて説明する。本実施形態において、乾燥装置は、布団や毛布等の寝具を乾燥させるとともに、衣類等の洗濯物を乾燥させることができるものとなっている。図１は、乾燥装置１０の全体を示す斜視図である。
【００２３】
乾燥装置１０は、前面側に開放された箱状の装置本体１１と、その装置本体１１の前面開口部１２に設けられた複数の扉体１３とを有し、それら装置本体１１と扉体１３とにより囲まれた空間部が乾燥室１５となっている。装置本体１１及び扉体１３がケース本体に相当する。装置本体１１は、左右の側板部１１ａ，１１ｂ、天井板部１１ｃ、底板部１１ｄ及び背板部１１ｅにより構成されている。扉体１３は折戸タイプの開閉扉であり、各扉体１３の上下隅部に設けられたローラ（図示略）が天井板部１１ｃ及び底板部１１ｄの前側端縁部に設けられたレール（図示略）に沿って移動することで折り畳み状態となり、それに伴い装置本体１１の前面開口部１２が開放されるようになっている。なお、扉体１３として、折戸タイプの開閉扉以外の構成、例えば引戸タイプ、回動ドアタイプなど、他の形式の開閉扉を用いることも可能である。
【００２４】
装置本体１１の側板部１１ａには、その内外を連通し乾燥室１５内の通気を行うための通気部１６が設けられている。通気部１６は、小窓とその小窓を開閉する蓋板とからなり、蓋板の開閉により通気の可否及び通気量が調整可能となっている。装置本体１１の側板部１１ａに通気部１６を設ける代わりに、扉体１３の上端と天井板部１１ｃとの間の隙間を介して通気を行わせることも可能である。
【００２５】
装置本体１１内には布団や衣類等の乾燥に用いる各種部材が設けられており、その構成を図２に参照しながら説明する。図２において、（ａ）は扉体１３を取り外した状態で乾燥装置１０を前面側から見た正面図であり、（ｂ）は乾燥装置１０を側方から見た縦断面図である。
【００２６】
装置本体１１内には、その左右の側板部１１ａ，１１ｂにおいてほぼ中央の高さ位置に支持盤２１，２２が取り付けられており、その左右の支持盤２１，２２間に架け渡すようにして複数のパイプユニット２３が取り付けられている。なお本実施形態では、下段側に２つのパイプユニット２３が、上段側に１つのパイプユニット２３が設けられており、以下の説明では下段側のパイプユニット２３を「パイプユニット２３Ａ，２３Ｂ」、上段側のパイプユニット２３を「パイプユニット２３Ｃ」とする。
【００２７】
一方の支持盤２１には、装置本体１１の外側に設けられたエア取り込み部２４を介して送風手段としての空調装置２５が接続されている。支持盤２１には、空調装置２５から送られてくる乾燥エア（温風）を各パイプユニット２３Ａ〜２３Ｃに供給するエア通路（図示略）が設けられている。空調装置２５からの乾燥エア（温風）をパイプユニット２３Ａ〜２３Ｃのいずれに供給するかは、切替装置２６の切替操作により適宜切り替えられるようになっている。この場合、ユーザが切替装置２６に対して切替操作を行うことで、空調装置２５と各パイプユニット２３Ａ〜２３Ｃとを連通するエア通路が選択的に開放又は閉鎖され、開放されたエア通路を通じて、それに対応するパイプユニット２３Ａ〜２３Ｃに乾燥エア（温風）が供給される。切替装置２６として、電気的に作動する通路切替弁を設けることも可能である。
【００２８】
ここで、パイプユニット２３Ａ〜２３Ｃは内外二重構造を有するものとなっており、その詳細を図３に示す。図３に示すように、パイプユニット２３Ａ〜２３Ｃは、内外二重に重ねて設けられる内側パイプ２７と外側パイプ２８とを有し、そられは同軸でかつ互いに接触状態で設けられている。それら両パイプ２７，２８のうち内側パイプ２７の両端が支持盤２１，２２に固定されている。この場合、内側パイプ２７は回転不可（固定）となっているのに対し、外側パイプ２８はその周方向に回転可能となっている。なお本実施形態では、外側パイプ２８の軸方向（左右方向）の移動を不可とするが、軸方向にも移動可能とする構成であっても良い。
【００２９】
内側パイプ２７には、周方向及び軸方向に所定ピッチで多数の貫通孔２７ａが形成されている。すなわち、貫通孔２７ａは円形孔であり、周方向に見て等間隔（９０度間隔）で、かつ軸方向に見て４列に形成されている。また、外側パイプ２８には、周方向に見て１カ所に、軸方向に延びる長孔２８ａが形成されている。長孔２８ａは、短辺方向の幅（周方向の幅）が内側パイプ２７の貫通孔２７ａの直径よりも大きく、長辺方向の幅（軸方向の幅）が貫通孔２７ａを数個分含む程度の幅となっている。
【００３０】
ユーザにより外側パイプ２８が周方向に回転されると、内側パイプ２７の貫通孔２７ａと外側パイプ２８の長孔２８ａとが連通する状態／連通しない状態が切り替えられ、連通状態とすることでパイプユニット２３においてエア吹出口が開通される。かかる場合、図４（ａ）に示す状態では、内側パイプ２７の貫通孔２７ａと外側パイプ２８の長孔２８ａとがパイプ真下位置で連通しており、内側パイプ２７内を通って流れる乾燥エアが貫通孔２７ａ及び長孔２８ａを通ってパイプ外周側（ここでは真下方向）に吹き出される。その他、外側パイプ２８の回転位置によっては、真下方向に代えて、真上方向、図の左右方向（乾燥装置１０で言えば前後方向）にもエア吹出が可能となる。なお、内側パイプ２７の貫通孔２７ａと外側パイプ２８の長孔２８ａとが連通する量を調整することでエア吹出量の調整も可能となる。
【００３１】
これに対し、図４（ｂ）に示す状態では、内側パイプ２７の貫通孔２７ａと外側パイプ２８の長孔２８ａとが連通しておらず、パイプ外周側に乾燥エアが吹き出されないようになっている。
【００３２】
また、本実施形態では、パイプユニット２３Ａ〜２３Ｃにおけるエア吹出の実施／停止の切替、及びエア吹出方向の切替を、その軸方向の任意の位置で行うことができるよう、１本の内側パイプ２７に対して、複数分割した外側パイプ２８を組み合わせることとしている。図５の略図で説明すれば、一例として、パイプユニット２３は、１本の内側パイプ２７と４本の外側パイプ２８とを組み合わせて構成されており、図示の状態では、外側パイプ２８の長孔２８ａはそれぞれが異なる周方向位置に調整されている。この場合、エア源（空調装置２５）からエアが供給された状態で、（Ａ）では真下方向にエアが吹き出しており、（Ｂ）では真上方向にエアが吹き出しており、（Ｃ）では前後方向にエアが吹き出している。（Ｄ）ではエアが吹き出していない。
【００３３】
パイプユニット２３Ａ〜２３Ｃの上記構成によれば、エア吹出口におけるエア吹出状態として、エア吹出の有無、エア吹出位置、エア吹出量及びエア吹出方向が変更可能となっている。
【００３４】
３つのパイプユニット２３Ａ〜２３Ｃのうち、下段側のパイプユニット２３Ａ，２３Ｂは主に布団乾燥に用いられる。そのため特に、パイプユニット２３Ａ，２３Ｂには、布団類の幅に相当する長さで、左右２カ所にエア吹出口が設けられている。
【００３５】
これに対し、上段側のパイプユニット２３Ｃは布団以外の洗濯物などの乾燥に用いられる。そのための構成として、図２に示すように、パイプユニット２３Ｃには、洗濯物等を掛けるための大小２つの物干しアーム３１，３２が取り付けられている。物干しアーム３１，３２は略コ字状をなしており、その基端部に設けられたリング状の連結片３３によりパイプユニット２３Ｃに連結されている。２つの物干しアーム３１，３２は、その上端の吊り掛け部３１ａ，３２ａが前後２段になるよう設けられている。また、物干しアーム３１，３２は、連結片３３（パイプユニット２３Ｃ）を支点として装置本体１１の前面開口部１２側（乾燥室１５の入口側）に回動可能となっている。物干しアーム３１，３２を前面開口部１２側に回動させた状態では、同アーム３１，３２の吊り掛け部３１ａ，３２ａがユーザ側に引き寄せられかつ低位となるため、洗濯物等を掛けたり取り込んだりする作業が容易なものとなっている。
【００３６】
図６には、乾燥装置１０により布団や洗濯物等を乾燥させている状態を示す。図６に示すように、下段側のパイプユニット２３Ａ，２３Ｂには、それぞれ布団Ｆが二つ折り状態で掛け下げられており、この状態で、同パイプユニット２３Ａ，２３Ｂに対して空調装置２５から乾燥エア（温風等）が供給される。パイプユニット２３Ａ，２３Ｂはエア吹出方向が下方向となっており、二つ折りにされた布団Ｆの内側となる空間部（図のＲ部分）に対して乾燥エア（温風等）が吹き出される。この場合、折り畳まれた布団の中央部分に直接乾燥エアが供給され、その乾燥エアが当該部分に暫く滞留するため、布団Ｆをいち早く乾燥させることができる。乾燥後の布団Ｆについては、パイプユニット２３Ａ，２３Ｂに掛け下げられた状態のまま本乾燥装置１０内に収納される。
【００３７】
また、上段側のパイプユニット２３Ｃに取り付けられた物干しアーム３１，３２には、タオル等の洗濯物Ｓが掛け下げられており、この状態で、同パイプユニット２３Ｃに対して空調装置２５から乾燥エア（温風等）が供給される。パイプユニット２３Ｃは、エア吹出方向が上方向となっており、洗濯物Ｓに対して乾燥エア（温風等）が吹き出される。洗濯物Ｓに向けて直接送風されるため、洗濯物Ｓをいち早く乾燥させることができる。
【００３８】
以上詳述した本実施形態によれば、以下の優れた効果が得られる。
【００３９】
乾燥室１５内に、布団等の乾燥対象物を掛け下げ可能としかつ表面（パイプ表面）にエア吹出口を有するパイプユニット２３Ａ〜２３Ｃを設け、そのパイプユニット２３Ａ〜２３Ｃの中空部に対して空調装置２５からエア供給を行う構成としたため、パイプユニット２３Ａ〜２３Ｃから吹き出されるエアを布団等に直接当てることができる。そのため、布団等をいち早く乾燥させることができる。かかる場合、乾燥室内の全てを乾燥（除湿）していた従来技術とは異なり、乾燥に要する時間やエネルギの短縮・縮小を図ることができる。その結果、布団等の乾燥対象物を効率良く乾燥させることができるようになる。
【００４０】
パイプユニット２３Ａ〜２３Ｃは、エア吹出口におけるエア吹出状態として、エア吹出の有無、エア吹出位置、エア吹出量及びエア吹出方向が変更可能となっているため、乾燥室１５内の布団等の枚数や掛け下げの位置等に応じてエア吹出の状態を任意に変更することができる。これにより、布団等の乾燥対象物を効率良く乾燥させることができる。また、無駄なエネルギの消費を防ぐことができる。加えて、エア吹出を行わないエア吹出口については閉じておくことができるため、パイプユニット２３Ａ〜２３Ｃ内へのゴミ等の侵入を防ぐこともできる。
【００４１】
パイプユニット２３Ａ〜２３Ｃを、内外二重の内側パイプ２７と外側パイプ２８とにより構成し、外側パイプ２８の周方向の回転によりエア吹出口を開閉する構成としたため、比較的簡易な手段にてエア吹出状態を変更でき、実用性に優れた構成が実現できる。
【００４２】
パイプユニット２３Ａ，２３Ｂを前後に並設し、その各パイプユニット２３Ａ，２３Ｂに布団等を掛け下げ可能としたため、乾燥室１５の前後幅に制限がある場合であっても複数枚の布団等の乾燥や収納が可能となる。
【００４３】
空調装置２５から乾燥エア（例えば温風）を供給する構成としたため、温度調節や風量調節を行った乾燥エアをパイプユニット２３Ａ〜２３Ｃに供給でき、乾燥の効率を上げることができる。
【００４４】
また、空調装置２５からの乾燥エア（温風）をパイプユニット２３Ａ〜２３Ｃのいずれに供給するかを、切替装置２６の切替操作により適宜切り替えるようにしたため、都度使用するパイプユニット２３Ａ〜２３Ｃにのみ送風を行うことができ、本構成によっても無駄なエネルギ消費が抑制できる。
【００４５】
上段側のパイプユニット２３Ｃに、回動可能な物干しアーム３１，３２を取り付けたため、布団Ｆ等の寝具を乾燥させること以外に、洗濯物Ｓを乾燥させる場合にも好適に用いることができる。また、乾燥室１５内において上側半分のスペースを有効利用できる。
【００４６】
［他の実施形態］
本発明は上記実施形態の記載内容に限定されず、例えば次のように実施されても良い。
【００４７】
上記実施形態では、乾燥室１５内にパイプユニット２３を位置不変に設けたが、これを変更し、例えばパイプユニット２３を前後方向に動かすことができる構成とする（可動式とする）。具体的には、図７に示すように、支持盤２２に案内溝４１を設け（図示しない支持盤２１も同様）、その案内溝４１に沿って各パイプユニット２３Ａ，２３Ｂが図の左右方向に移動可能となる構成とする。本構成によれば、各パイプユニット２３Ａ，２３Ｂに掛け下げた状態で布団等を乾燥させた後、それらパイプユニット間の間隔を狭めるようにしてパイプユニット２３Ａ，２３Ｂを乾燥室奥側に押し込むことができ、これにより、布団等の収納領域を縮小化できる。つまり、乾燥状態では布団を比較的粗な状態で収容し、乾燥後には同布団を比較的密な状態で収容することができる。これにより、乾燥室１５内のスペースの有効利用を図ることができる。この場合、下段側のパイプユニット２３の数を３つ以上に増やすと、より効果的であると考えられる。
【００４８】
また、パイプユニット２３Ａ〜２３Ｃを個々に着脱可能としても良い。パイプユニット２３Ａ〜２３Ｃを取り外すことにより、乾燥室１５内の空きスペースを増やすことができ、大物の収納などが可能となる。
【００４９】
パイプユニット２３Ａ〜２３Ｃに布団等の乾燥対象物が掛け下げられているか否かを検知し、乾燥対象物が掛け下げられている旨検知されたことを条件に、エア吹出口からエア吹出を実施するようにしても良い。具体的には、図８に示すように、各パイプユニット２３Ａ〜２３Ｃに、布団等の掛け下げを検知する荷重センサ４３を設け、同荷重センサ４３の検知信号をコントローラ４４に入力する。そして、コントローラ４４が、空調装置２５や、支持盤２１内に設けられたエア通路切替部を制御して、布団等の乾燥対象物が実際に掛け下がっているパイプユニット２３で限定的にエア吹出を行わせる。これにより、無駄に乾燥エアが吹き出されることを防止することができる。なお、パイプユニット２３において実際の掛け下げ部分で、限定的にエア吹出を行わせるようにしても良い。
【００５０】
装置本体１１内に、乾燥室１５を左右又は上下に仕切るための仕切り壁を設けても良い。この場合、乾燥室１５が複数に分割されることで、その各々の分割領域において乾燥の効率が一層向上する。このとき特に、乾燥室１５を左右に仕切る仕切り壁によりパイプユニットの中間部を支える構成とすれば、同パイプユニットの荷重強度を高めることができる。仕切り壁を可動式にすることも可能である。
【００５１】
上記実施形態では、パイプユニットを内外二重の構造とし、エア吹出方向を可変としたが、同パイプユニットを一重構造とし、エア吹出方向を固定としても良い。この場合、布団掛け下げ用のパイプユニットについては、鉛直方向下向きにエアを吹き出す構成であれば良い。
【００５２】
物干しアーム３１，３２を電気的に回動させる駆動装置を設けても良い。例えば、物干しアーム３１，３２の基端部にモータ等からなる駆動装置を設け、その駆動装置により物干しアーム３１，３２を前後に駆動させる。これにより、洗濯物等を掛けたり取り込んだりする作業が一層容易なものとなる。
【００５３】
その他、乾燥室１５において上半分に設けた洗濯物乾燥用スペースを無くし、乾燥装置１０を布団乾燥専用の乾燥装置としても良い。また、上下複数段（例えば上下２段）に布団を掛け下げることができるよう、布団乾燥用のパイプユニットを上下複数段（例えば上下２段）に設けることも可能である。
【００５４】
本発明の乾燥装置を建物に据え付けることも可能である。すなわち、住宅等の建物において、壁面、床面、天井面及び前面扉体にて囲まれた空間部（押入等）に乾燥室を設けるとともに、前面扉体側を基準に左右の壁面間に架け渡すようにして、上述したパイプユニット２３を設置すると良い。本構成においても、前記同様、布団等の乾燥対象物を効率良く乾燥させること等々の優れた効果が得られる。また、建物に設けられる浴室を乾燥室として用い、その浴室内に、上述したパイプユニット２３等を設置する構成としても良い。
【図面の簡単な説明】
【００５５】
【図１】乾燥装置の全体を示す斜視図。
【図２】（ａ）は扉体を取り外した状態で乾燥装置を前面側から見た正面図であり、（ｂ）は乾燥装置を側方から見た縦断面図。
【図３】パイプユニットの構造を示す正面図。
【図４】内側パイプの貫通孔と外側パイプの長孔との連通状態を説明するための断面図。
【図５】パイプユニットのエア吹出方向を説明するための略図。
【図６】乾燥装置において布団等を乾燥させる状態を示す図。
【図７】別の実施形態における乾燥装置を示す図。
【図８】別の実施形態における乾燥装置を示す図。
【符号の説明】
【００５６】
１０…乾燥装置、１１…装置本体、１２…前面開口部、１３…扉体、１５…乾燥室、２３Ａ〜２３Ｃ…パイプユニット（パイプ部材）、２５…空調装置、２６…切替装置、２７…内側パイプ、２７ａ…貫通孔（透孔）、２８…外側パイプ、２８ａ…長孔（透孔）、３１，３２…物干しアーム、４１…案内溝、４３…荷重センサ、４４…コントローラ、Ｆ…布団、Ｓ…乾燥対象物。
【図１】
2008104606.tif 000003
【図２】
2008104606.tif 000004
【図３】
2008104606.tif 000005
【図４】
2008104606.tif 000006
【図５】
2008104606.tif 000007
【図６】
2008104606.tif 000008
【図７】
2008104606.tif 000009
【図８】
2008104606.tif 000010